(57)【要約】      （修正有）【課題】部番号と合成した場合のように部番号と対応する配布先を記録しておくことなく、例えば流出文書の配布先を識別可能とする。【解決手段】画像入出力システム１００は、他の情報を参照することなく、配布先を識別可能な識別情報と、配布する原稿のデータとを合成し、合成データを出力する。合成手段は記憶装置上でされるだけでなく、実際の出力時に紙や又は感光ドラムなどの画像転写対象物上に別々に出力することも考えられる。合成手段として画像に透明度が指定されている場合、指定されている透明度で画像を合成することができることも考えられる。【選択図】図１
2006245771.tif 000002
【特許請求の範囲】
【請求項１】
他の情報を参照することなく、配布先を識別可能な識別情報と、配布する原稿のデータとを合成する合成手段と、
前記合成手段により生成された合成データを出力手段より出力させる出力制御手段とを有することを特徴とするデータ出力制御装置。
【請求項２】
前記識別情報は、配布先の名称及び配布先を示す画像データのうちの少なくとも何れか一方を含むことを特徴とする請求項１に記載のデータ出力制御装置。
【請求項３】
前記合成手段は、複数の前記識別情報のリストをシーケンシャルに参照し、前記データとの合成処理を行うことを特徴とする請求項１又は２に記載のデータ出力制御装置。
【請求項４】
前記出力制御手段は、当該配布先についてのデータ出力を行うか否かを示すフラグに基づいて、前記合成データの出力制御を行うことを特徴とする請求項１又は２に記載のデータ出力制御装置。
【請求項５】
前記識別情報を外部装置から取得する取得手段を更に有し、
前記合成手段は、前記取得手段により取得された前記識別情報と前記データとを合成することを特徴とする請求項１乃至４の何れか１項に記載のデータ出力制御装置。
【請求項６】
前記合成手段は、指定された前記識別情報の透明度に応じて前記識別情報を前記データに合成することを特徴とする請求項１乃至５の何れか１項に記載のデータ出力制御装置。
【請求項７】
データ出力制御装置によるデータ出力制御方法であって、
他の情報を参照することなく、配布先を識別可能な識別情報と、配布する原稿のデータとを合成する合成ステップと、
前記合成ステップにより生成された合成データを出力手段より出力させる出力制御ステップとを含むことを特徴とするデータ出力制御方法。
【請求項８】
請求項７に記載のデータ出力制御方法をコンピュータに実行させるためのプログラム。
【請求項９】
請求項８に記載のプログラムを記録したコンピュータ読み取り可能な記録媒体。
【請求項１０】
配布先識別画像を記憶する記憶手段と、
前記配布先識別画像と画像とを合成する合成手段と、
前記合成手段により合成された配布先識別画像を含む画像を印刷する印刷手段とを有することを特徴とする印刷装置。
【請求項１１】
原稿を読み込む読み込み手段と、
配布先識別画像を記憶する記憶手段と、
前記配布先識別画像と前記原稿とを合成する合成手段と、
前記合成手段により合成された配布先識別画像を含む原稿を印刷する印刷手段とを有することを特徴とする複写装置。
【発明の詳細な説明】
【技術分野】
【０００１】
本発明は、例えば機密文書等が流出した場合にその流出元を識別可能とするためのデータ出力制御装置及びデータ出力制御方法に関するものである。
【背景技術】
【０００２】
従来のデジタル複合機等、画像形成装置における部番号印刷モード（機密文書印刷モード）では、部番号（機密情報）とスキャナや外部接続機器からの入力画像とを合成し、部番号を付けてプリントアウトする機能を備えた画像形成装置が知られている。
【０００３】
このような部番号付加の目的は、機密文書を複数部配布するような場合に、配布物に部番号を付加することにより、その番号と配布先を記録しておくことで、機密文書及びその複写物が流出した場合に、流出元を突き止めることが出来るのである。
【０００４】
【特許文献１】特開２００４−５４６４号公報
【発明の開示】
【発明が解決しようとする課題】
【０００５】
しかしながら、上述のような従来技術では、部番号と配布先を記録しておく必要があり、部番号と配布先の対応記録を管理しない限り、流出文書の番号を調べることが出来た場合でもその配布先を突き止めることが出来ないという問題があった。
【０００６】
そこで、本発明の目的は、部番号と合成した場合のように部番号と対応する配布先を記録しておくことなく、例えば流出文書の配布先を識別可能とすることにある。
【課題を解決するための手段】
【０００７】
本発明のデータ出力制御装置は、他の情報を参照することなく、配布先を識別可能な識別情報と、配布する原稿のデータとを合成する合成手段と、前記合成手段により生成された合成データを出力手段より出力させる出力制御手段とを有することを特徴とする。
【０００８】
本発明のデータ出力制御方法は、データ出力制御装置によるデータ出力制御方法であって、他の情報を参照することなく、配布先を識別可能な識別情報と、配布する原稿のデータとを合成する合成ステップと、前記合成ステップにより生成された合成データを出力手段より出力させる出力制御ステップとを含むことを特徴とする。
【０００９】
本発明のプログラムは、前記データ出力制御方法をコンピュータに実行させることを特徴とする。
【００１０】
本発明のコンピュータ読み取り可能な記録媒体は、前記プログラムを記録したことを特徴とする。
【００１１】
本発明の印刷装置は、配布先識別画像を記憶する記憶手段と、前記配布先識別画像と画像とを合成する合成手段と、前記合成手段により合成された配布先識別画像を含む画像を印刷する印刷手段とを有することを特徴とする。
【００１２】
本発明の複写装置は、原稿を読み込む読み込み手段と、配布先識別画像を記憶する記憶手段と、前記配布先識別画像と前記原稿とを合成する合成手段と、前記合成手段により合成された配布先識別画像を含む原稿を印刷する印刷手段とを有することを特徴とする。
【発明の効果】
【００１３】
本発明によれば、他の情報を参照することなく、配布先を識別可能な識別情報と、配布する原稿のデータとを合成して出力させるように構成したので、部番号と合成した場合のように部番号と対応する配布先を記録しておくことなく、例えば流出文書の配布先を識別することが可能となる。
【発明を実施するための最良の形態】
【００１４】
以下、本発明を適用した好適な実施形態を、添付図面を参照しながら詳細に説明する。
【００１５】
本実施形態に係る画像入出力システムの全体構成を、図１を参照しながら説明する。リーダ装置（以下、リーダ部と称す）２００は、原稿画像を光学的に読み取り、画像データに変換する。リーダ部２００は、原稿を読み取るための機能を持つスキャナユニット２１０と、原稿用紙を搬送するための機能を持つ原稿給紙ユニット２５０とで構成される。
【００１６】
プリンタ装置（以下、プリンタ部と称す）３００は、記録紙を搬送し、その上に画像データを可視画像として印字して装置外に排紙する。プリンタ部３００は、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１７】
制御装置１１０は、リーダ部２００、プリンタ部３００と電気的に接続され、さらにネットワーク４００を介して、ホストコンピュータ４０１、４０２と接続されている。
【００１８】
制御装置１１０は、リーダ部２００を制御して、原稿の画像データを読み込み、プリンタ部３００を制御して画像データを記録用紙に出力してコピー機能を提供する。また、リーダ部２００から読み取った画像データを、コードデータに変換し、ネットワーク４００を介してホストコンピュータへ送信するスキャナ機能、ホストコンピュータからネットワーク４００を介して受信したコードデータを画像データに変換し、プリンタ部３００に出力するプリンタ機能を提供する。
【００１９】
操作部１５０は、制御装置１１０に接続され、液晶タッチパネルで構成され、画像入出力システムを操作するためのユーザＩ／Ｆを提供する。
【００２０】
図２はリーダ部２００及びプリンタ部３００の概観図である。リーダ部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００２１】
２２２はリーダ画像処理回路部であり、ＣＣＤ２１８から出力される画像データに所定の処理を施し、スキャナＩ／Ｆ１４０を介して制御装置１１０へと出力するところである。
【００２２】
３５２はプリンタ画像処理回路部であり、プリンタＩ／Ｆ１４５を介して制御装置１１０から送られる画像信号をレーザドライバへと出力するところである。
【００２３】
プリンタ部３００のレーザドライバ３１７はレーザ発光部３１３、３１４、３１５、３１６を駆動するものであり、プリンタ画像処理部３５２から出力された画像データに応じたレーザ光をレーザ発光部３１３、３１４、３１５、３１６を発光させる。このレーザ光はミラー３４０、３４１、３４２、３４３、３４４、３４５、３４６、３４７、３４８、３４９、３５０、３５１によって感光ドラム３２５、３２６、３２７、３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００２４】
用紙カセット３６０、３６１及び手差しトレイ３６２のいずれかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００２５】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００２６】
＜リーダ画像処理部の説明＞
図３は、リーダ画像処理部２２２の詳細な構成を示すブロック図である。このリーダ画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤごとに並べたものでも構わないし、フィルタがオンチップ化又は、フィルタがＣＣＤと別構成になったものでも構わない）。そして、その電気信号（アナログ画像信号）は画像処理部２２２に入力され、クランプ＆Ａｍｐ．＆Ｓ／Ｈ＆Ａ／Ｄ部３０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部３０２で、シェーディング補正及び黒補正が施された後、制御装置１１０へと出力される。
【００２７】
＜制御装置の説明＞
制御装置１１０の機能を、図４に示すブロック図を基に説明する。メインコントローラ１１１は、主にＣＰＵ１１２と、バスコントローラ１１３、各種Ｉ／Ｆコントローラ回路とから構成される。
【００２８】
ＣＰＵ１１２とバスコントローラ１１３は制御装置１１０全体の動作を制御するものであり、ＣＰＵ１１２はＲＯＭ１１４からＲＯＭ Ｉ／Ｆ１１５を経由して読込んだプログラムに基いて動作する。また、ホストコンピュータから受信したＰＤＬ（ページ記述言語）コードデータを解釈し、ラスタイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。
【００２９】
ＤＲＡＭ１１６はＤＲＡＭＩ／Ｆ１１７によってメインコントローラ１１１と接続されており、ＣＰＵ１１２が動作するためのワークエリアや、画像データを蓄積するためのエリアとして使用される。
【００３０】
コーディック（Ｃｏｄｅｃ）１１８は、ＤＲＡＭ１１６に蓄積されたラスタイメージデータをＭＨ／ＭＲ／ＭＭＲ／ＪＢＩＧ／ＪＰＥＧ等の方式で圧縮し、また逆に圧縮され蓄積されたコードデータをラスタイメージデータに伸長する。ＳＲＡＭ１１９はコーディック１１８の一時的なワーク領域として使用される。コーディック１１８はＩ／Ｆ１２０を介してメインコントローラ１１１と接続され、ＤＲＡＭ１１６との間のデータの転送は、バスコントローラ１１３によって制御されＤＭＡ転送される。
【００３１】
グラフィックプロセッサ（Graphic Processor）１３５は、ＤＲＡＭ１１６に蓄積されたラスタイメージデータに対して、画像回転、画像変倍、色空間変換、二値化の処理をそれぞれ行う。ＳＲＡＭ１３６はグラフィックプロセッサ１３５の一時的なワーク領域として使用される。グラフィックプロセッサ１３５はＩ／Ｆ１３７を介してメインコントローラ１１１と接続され、ＤＲＡＭ１１６との間のデータの転送は、バスコントローラ１１３によって制御されＤＭＡ転送される。
【００３２】
ネットワークコントローラ（Network Controller）１２１はＩ／Ｆ１２２によってメインコントローラ１１１と接続され、コネクタ１２２によって外部ネットワークと接
続される。ネットワークとしては一般的にイーサネット（登録商標）があげられる。
【００３３】
汎用高速バス１２５には、拡張ボードを接続するための拡張コネクタ１２４とＩ／Ｏ制御部１２６とが接続される。汎用高速バスとしては、一般的にＰＣＩバスがあげられる。
【００３４】
Ｉ／Ｏ制御部１２６には、リーダ部２００、プリンタ部３００の各ＣＰＵと制御コマンドを送受信するための調歩同期シリアル通信コントローラ１２７が２チャンネル装備されており、Ｉ／Ｏバス１２８によって外部Ｉ／Ｆ回路１４０、１４５に接続されている。
【００３５】
パネルＩ／Ｆ１３２は、ＬＣＤコントローラ１３１に接続され、操作部１５０上の液晶画面に表示を行うためのＩ／Ｆと、ハードキーやタッチパネルキーの入力を行うためのキー入力Ｉ／Ｆ１３０とから構成される。
【００３６】
操作部１５０は液晶表示部と液晶表示部上に張り付けられたタッチパネル入力装置と、複数個のハードキーを有する。タッチパネルまたはハードキーにより入力された信号は前述したパネルＩ／Ｆ１３２を介してＣＰＵ１１２に伝えられ、液晶表示部はパネルＩ／Ｆ５２０から送られてきた画像データを表示するものである。液晶表示部には、本画像形成装置の操作における機能表示や画像データ等を表示する。
【００３７】
リアルタイムクロックモジュール１３３は、機器内で管理する日付と時刻を更新／保存するためのもので、バックアップ電池１３４によってバックアップされている。
【００３８】
Ｅ−ＩＤＥインタフェース１６１は、外部記憶装置を接続するためのものである。本実施形態においては、このＩ／Ｆを介してハードディスクドライブ１６０を接続し、ハードディスク１６２へ画像データを記憶させたり、ハードディスク１６２から画像データを読み込む動作を行う。
【００３９】
コネクタ１４２と１４７は、それぞれリーダ部２００とプリンタ部３００とに接続され、同調歩同期シリアルＩ／Ｆ（１４３，１４８）とビデオＩ／Ｆ（１４４，１４９）とから構成される。
【００４０】
スキャナＩ／Ｆ１４０は、コネクタ１４２を介してリーダ部２００と接続され、また、スキャナバス１４１によってメインコントローラ１１１と接続されており、リーダ部２００から受け取った画像に対して所定の処理を施す機能を有し、さらに、リーダ部２００から送られたビデオ制御信号をもとに生成した制御信号を、スキャナバス１４１に出力する機能も有する。
【００４１】
スキャナバス１４１からＤＲＡＭ１１６へのデータ転送は、バスコントローラ１１３によって制御される。
【００４２】
プリンタＩ／Ｆ１４５は、コネクタ１４７を介してプリンタ部３００と接続され、また、プリンタバス１４６によってメインコントローラ１１１と接続されており、メインコントローラ１１１から出力された画像データに所定の処理を施して、プリンタ部３００へ出力する機能を有し、さらに、プリンタ部３００から送られたビデオ制御信号をもとに生成した制御信号を、プリンタバス１４６に出力する機能も有する。
【００４３】
ＤＲＡＭ１１６上に展開されたラスタイメージデータのプリンタ部への転送は、バスコントローラ１１３によって制御され、プリンタバス１４６、ビデオＩ／Ｆ１４９を経由して、プリンタ部３００へＤＭＡ転送される。
【００４４】
＜スキャナＩ／Ｆの画像処理部の説明＞
スキャナＩ／Ｆ１４０の画像処理を担う部分についての詳細な説明を行う。図５はスキャナＩ／Ｆ１４０の画像処理を担う部分の詳細な構成を示すブロック図である。
【００４５】
リーダ部２００から、コネクタ１４２を介して送られる画像信号に対して、つなぎ＆ＭＴＦ補正部５０１で、ＣＣＤ２１８が３ラインＣＣＤの場合、つなぎ処理はライン間の読取位置が異なるため、読取速度に応じてライン毎の遅延量を調整し、３ラインの読取位置が同じになるように信号タイミングを補正し、ＭＴＦ補正は読取速度によって読取のＭＴＦが変るため、その変化を補正する。読取位置タイミングが補正されたデジタル信号は入力マスキング部５０２によって、ＣＣＤ２１８の分光特性及びランプ２１２及びミラー２１４、２１５、２１６の分光特性を補正する。入力マスキング部５０２の出力はＡＣＳカウント部５０３及びメインコントローラ１１１へと送られる。
【００４６】
＜ＡＣＳカウント部の説明＞
ＡＣＳ（オートカラーセレクト）カウント部の説明を図６を用いて行う。オートカラーセレクト（以下ＡＣＳ）は、原稿がカラーなのか白黒なのかを判断する。つまり画素ごとの彩度を求めてある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施形態ではＡＣＳの方法にはこだわらない為、ごく一般的な手法で説明を行う。
【００４７】
前記したように、白黒画像でもミクロ的に見ると色画素が多数存在するわけであるから、その画素が本当に色画素であるかどうかは、注目画素に対して周辺の色画素の情報で判定する必要がある。６０１はそのためのフィルタであり、注目画素に対して周辺画素を参照する為にＦＩＦＯの構造をとる。６０２はメインコントローラ１１１からセットされた６０７〜６１０のレジスタに設定された値と、リーダ部２００から送られたビデオ制御信号６１２を元に、ＡＣＳをかける領域信号６０５を作成する回路である。６０３の色判定部は、ＡＣＳをかける領域信号６０５に基づき、注目画素に対して６０１のフィルタ内のメモリ内の周辺画素を参照し、注目画素が色画素か白黒画素かを決定する為の色判定部である。６０４は６０３の色判定部が出力した色判定信号の個数を数えるカウンタである。
【００４８】
メインコントローラ１１１は読み込み範囲に対してＡＣＳをかける領域を決定し、６０７〜６１０のレジスタに設定する（本実施形態では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判断する。
【００４９】
６０７〜６１０のレジスタには、主走査方向、副走査方向それぞれについて、色判定部６０３が判定を開始する位置、判定を終了する位置を、リーダ部２００から送られたビデオ制御信号６１２に基づいて設定しておく。本実施形態では、実際の原稿の大きさよりもそれぞれ１０ｍｍ程度小さめに設定している。
【００５０】
＜プリンタＩ／Ｆの画像処理部の説明＞
プリンタＩ／Ｆ１４５の画像処理を担う部分についての詳細な説明を行う。図７はプリンタＩ／Ｆ１４５の画像処理を担う部分の詳細な構成を示すブロック図である。
【００５１】
メインコントローラ１１１から、プリンタバス１４６を介して送られる画像信号は、まずＬＯＧ変換部７０１に入力される。ＬＯＧ変換部７０１では、ＬＯＧ変換でＲＧＢ信号からＣＭＹ信号に変換する。次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号はγ補正部７０４で濃度調整された後フィルタ部７０５でスムージング又はエッジ処理される。これらの処理を経て、コネクタ１４７を介してプリンタ部３００へと画像が送られる。
【００５２】
＜グラフィックプロセッサの説明＞
グラフィックプロセッサ１３５についての詳細な説明を行う。図８はグラフィックプロセッサ１３５の詳細な構成を示すブロック図である。
【００５３】
グラフィックプロセッサ１３５は、画像回転、画像変倍、色空間変換、二値化の処理をそれぞれ行うモジュールを有する。ＳＲＡＭ１３６はグラフィックプロセッサ１３５の各々のモジュールの一時的なワーク領域として使用される。各々のモジュールが用いるＳＲＡＭ１３６のワーク領域が競合しないよう、予め各々のモジュールごとにワーク領域が静的に割り当てられているものとする。グラフィックプロセッサ１３５はＩ／Ｆ１３７を介してメインコントローラ１１１と接続され、ＤＲＡＭ１１６との間のデータの転送は、バスコントローラ１１３によって制御されＤＭＡ転送される。
【００５４】
バスコントローラ１１３は、グラフィックプロセッサ１３５の各々のモジュールにモード等を設定する制御及び、各々のモジュールに画像データを転送するためのタイミング制御を行う。
【００５５】
＜画像回転部の説明＞
以下に画像回転部８０１における処理手順を示す。Ｉ／Ｆ１３７を介して、ＣＰＵ１１２からバスコントローラ１１３に画像回転制御のための設定を行う。この設定によりバスコントローラ１１３は画像回転部８０１に対して画像回転に必要な設定（例えば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００５６】
尚、ここでは回転を行う画像サイズを３２画素×３２ラインとし、又、画像バス２００８上に画像データを転送させる際に２４ｂｙｔｅ（ＲＧＢ各々８ｂｉｔで１画素分）を単位とする画像転送を行うものとする。
【００５７】
上述のように、３２画素×３２ラインの画像を得るためには、上述の単位データ転送を３２×３２回行う必要があり、且つ不連続なアドレスから画像データを転送する必要がある（図９参照）。
【００５８】
不連続アドレッシングにより転送された画像データは、読み出し時に所望の角度に回転されているように、ＳＲＡＭ１３６に書き込まれる。例えば、９０度反時計方向回転であれば、転送される画像データを、図１０のようにＹ方向に書き込んでいく。読み出し時にＸ方向に読み出すことで、画像が回転される。
【００５９】
３２画素×３２ラインの画像回転（ＳＲＡＭ１３６への書き込み）が完了した後、画像回転部８０１はＳＲＡＭ１３６から上述した読み出し方法で画像データを読み出し、バスコントローラ１１３に画像を転送する。
【００６０】
回転処理された画像データを受け取ったバスコントローラ１１３は、連続アドレッシングを以て、ＤＲＡＭ１１６もしくはＩ／Ｆ上の各デバイスにデータを転送する。
【００６１】
こうした一連の処理は、ＣＰＵ１１２からの処理要求が無くなるまで（必要なページ数の処理が終わったとき）繰り返される。
【００６２】
＜画像変倍部の説明＞
以下に画像変倍部８０２における処理手順を示す。Ｉ／Ｆ１３７を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６３】
画像変倍部８０２は、受け取った画像データを一時ＳＲＡＭ１３６に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＳＲＡＭ１３６へ書き戻し、これを出力バッファとして画像変倍部８０２はＳＲＡＭ１３６から画像データを読み出し、バスコントローラ１１３に転送する。
【００６４】
変倍処理された画像データを受け取ったバスコントローラ１１３は、ＤＲＡＭ１１６もしくはＩ／Ｆ上の各デバイスにデータを転送する。
【００６５】
＜色空間変換部の説明＞
以下に色空間変換部８０３における処理手順を示す。Ｉ／Ｆ１３７を介して、ＣＰＵ１１２からバスコントローラ１１３に色空間変換制御のための設定を行う。この設定によりバスコントローラ１１３は色空間変換部８０３およびＬＵＴ（ルック・アップ・テーブル）８０４に対して色空間変換処理に必要な設定（後述のマトリックス演算の係数、ＬＵＴ８０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００６６】
色空間変換部８０３は、受け取った画像データ１画素ごとに対して、まず下記の式で表される３×３のマトリックス演算を施す。
【００６７】
【数１】
2006245771.tif 000003
【００６８】
上式において、Ｒ、Ｇ、Ｂが入力、Ｘ、Ｙ、Ｚが出力、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００６９】
上式の演算によって、例えばＲＧＢ色空間からＹｕｖ色空間への変換など、各種の色空間変換を行うことができる。
【００７０】
次に、マトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【００７１】
その後、色空間変換部８０３は色空間変換処理された画像データをバスコントローラ１１３に転送する。
【００７２】
色空間変換処理された画像データを受け取ったバスコントローラ１１３は、ＤＲＡＭ１１６もしくはＩ／Ｆ上の各デバイスにデータを転送する。
【００７３】
＜画像二値化部の説明＞
以下に画像二値化部８０５における処理手順を示す。Ｉ／Ｆ１３７を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１１６もしくは各Ｉ／Ｆを介して接続されているデバイスから画像データの転送を開始する。
【００７４】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、いずれの手法によってもかまわない。
【００７５】
その後、画像二値化部８０５は二値化処理された画像データをバスコントローラ１１３に転送する。二値化処理された画像データを受け取ったバスコントローラ１１３は、ＤＲＡＭ１１６もしくはＩ／Ｆ上の各デバイスにデータを転送する。
【００７６】
＜ＰＤＬ画像出力時のシーケンス＞
図１１は、本実施形態におけるＰＤＬ画像出力の手順を示すフローチャートである。なお、図中のＳ１１０１〜Ｓ１１０９は各ステップを示す。
【００７７】
ＰＤＬ画像を出力する場合、Ｓ１１０１では、ＰＣ４０１上でユーザが当該ＰＤＬ画像出力ジョブのプリント設定を行う。プリント設定内容は、部数、用紙サイズ、片面／両面、ページ出力順序、ソート出力、ステイプル止めの有無等である。ここで、本発明に係るタブシート印刷を実行する場合、タブシートモードを設定する。
【００７８】
Ｓ１１０２では、ＰＣ４０１上で印刷指示を与え、それと共にＰＣ４０１上にインストールされているドライバソフトウェアが、印刷対象となるＰＣ４０１上のコードデータをいわゆるＰＤＬデータに変換して、Ｓ１１０１で設定したプリント設定パラメータとともに、本画像入出力装置の制御装置１１０に、ネットワーク４００を介してＰＤＬデータを転送する。
【００７９】
Ｓ１１０３では、制御装置１１０のメインコントローラ１１１のＣＰＵ１１２が、コネクタ１２２およびネットワークコントローラ１２１を介して転送されたＰＤＬデータを前記プリント設定パラメータに基づいて、画像データに展開（ラスタライズ）する。画像データの展開は、ＤＲＡＭ１１６上に行われる。画像データの展開が完了するとＳ１１０４へ進む。
【００８０】
Ｓ１１０４では、メインコントローラ１１１がＤＲＡＭ１１６上に展開された画像データを、グラフィックプロセッサ１３５に転送する。
【００８１】
Ｓ１１０５では、グラフィックプロセッサ１３５が、前記プリント設定パラメータとは独立に、画像処理を行う。例えば、前記プリント設定パラメータで指定された用紙サイズがＡ４であるにもかかわらず、プリンタ部３００の給紙ユニット３６０にはＡ４Ｒ用紙しかない場合には、グラフィックプロセッサ１３５で画像を９０度回転することによって、出力用紙にあわせた画像出力を行うことができる。画像データの画像処理が完了するとＳ１１０６へ進む。
【００８２】
Ｓ１１０６では、グラフィックプロセッサ１３５がメインコントローラ１１１へ画像処理後の画像データを転送する。メインコントローラ１１１は転送されてきた画像データをＤＲＡＭ１１６上に記憶する。
【００８３】
Ｓ１１０７では、ステップＳ１１０１での設定に基づき、印刷モードがタブシートモードに設定されているか否かを判断する。
【００８４】
ステップＳ１１０７で、タブシートモードでないと判断された場合、ステップＳ１１０８へ進み、Ｓ１１０８では、メインコントローラ１１１はプリンタＩ／Ｆ１４５およびコネクタ１４７を介して、プリンタ部３００を制御しつつ、適切なタイミングでＤＲＡＭ１１６上の画像データを、プリンタ部３００へと転送する。Ｓ１１０９では、制御装置１１０が、プリンタ部３００を制御して画像データをプリント出力する。画像データの転送が完了すると、すなわち当該ＰＤＬジョブが終了すると、プリント出力を終了する。
【００８５】
一方、ステップＳ１１０７で、タブシートモードであると判断された場合、ステップ１１１０に進み、図１７及び図１８を用いて後述するタブシートイメージをＤＲＡＭ上に形成する。
【００８６】
そして、ステップＳ１１０８へ進み、ＤＲＡＭからプリンタへ生成した画像データを転送し、ステップＳ１１０９において、予め設定されているタブシートに画像をプリントし、処理を終了する。
【００８７】
＜コピー画像出力時のシーケンス＞
図１２は、本実施形態におけるコピー画像出力の手順を示すフローチャートである。なお、図中のＳ１２０１〜Ｓ１２０８は各ステップを示す。
【００８８】
コピー画像を出力する場合、Ｓ１２０１では、操作部１５０上でユーザが当該コピー画像出力ジョブのコピー設定を行う。コピー設定内容は、部数、用紙サイズ、片面／両面、拡大／縮小率、ソート出力、ステイプル止めの有無等である。なお、ここで、本発明に係るタブシート印刷を実行する場合、タブシートモードを設定する。
【００８９】
Ｓ１２０２では、操作部１５０上でコピー開始指示を与えると、制御装置１１０のメインコントローラ１１１はスキャナＩ／Ｆ１４０およびコネクタ１４２を介してリーダ部２００を制御し、原稿の画像データの読み込み動作を行う。まず、原稿給送ユニット２５０は、載置された原稿を１枚ずつプラテンガラス２１１上へ給送し、その際同時に原稿のサイズを検知する。検知された原稿のサイズに基づいて原稿を露光走査することにより、画像データを読み取るわけである。
【００９０】
読み取られた画像データはＤＲＡＭ１１６上に記憶される。従来のコピー機では、前記コピー設定の拡大／縮小率の設定に応じて、すなわち副走査方向の変倍率に応じて光学ユニット２１３の移動速度を変化させることにより副走査方向の変倍処理を実現していた。しかしながら、本実施形態では、前記コピー設定の拡大／縮小率の設定にかかわらず、必ず等倍（１００％）で画像データを読み取り、変倍処理については、主走査方向、副走査方向ともに、後述するグラフィックプロセッサ１３５によって行うものとする。
【００９１】
Ｓ１２０３では、メインコントローラ１１１がＤＲＡＭ１１６上の画像データを、グラフィックプロセッサ１３５に転送する。
【００９２】
Ｓ１２０４では、グラフィックプロセッサ１３５が、前記コピー設定パラメータに基づいて画像処理を行う。例えば、拡大４００％の設定がなされているときには、グラフィックプロセッサ１３５内のモジュールである画像変倍部を用いて主走査方向、副走査方向、双方への変倍処理を行う。画像データの画像処理が完了するとＳ１２０５へ進む。
【００９３】
Ｓ１２０５では、グラフィックプロセッサ１３５がメインコントローラ１１１へ画像処理後の画像データを転送する。メインコントローラ１１１は転送されてきた画像データをＤＲＡＭ１１６上に記憶する。
【００９４】
Ｓ１２０６では、ステップＳ１２０１での設定に基づき、印刷モードがタブシートモードに設定されているか否かを判断する。
【００９５】
ステップＳ１２０６で、タブシートモードでないと判断された場合、ステップＳ１２０７へ進み、Ｓ１２０７では、メインコントローラ１１１はプリンタＩ／Ｆ１４５およびコネクタ１４７を介して、プリンタ部３００を制御しつつ、適切なタイミングでＤＲＡＭ１１６上の画像データを、プリンタ部３００へと転送する。
【００９６】
Ｓ１２０８では、制御装置１１０が、プリンタ部３００を制御して画像データをプリント出力する。画像データの転送が完了すると、すなわち当該コピージョブが終了すると、プリント出力を終了する。
【００９７】
一方、ステップＳ１２０６で、タブシートモードであると判断された場合、ステップ１１１０に進み、図１７及び図１８を用いて後述するタブシートイメージをＤＲＡＭ上に形成する。
【００９８】
そして、ステップＳ１２０８へ進み、ＤＲＡＭからプリンタへ生成した画像データを転送し、ステップＳ１２０８において、予め設定されているタブシートに画像をプリントし、処理を終了する。
【００９９】
＜画像パケット構造＞
図１３は、本実施形態のパケット構造を示す図である。１パケットは３２×３２画素の１タイル分の画像データを収容するデータ本体１０と、ヘッダ１２からなる。ヘッダ１２は、パケットのシリアル番号を示すパケットＩＤ１４、データ本体１０に収容される画像データが圧縮されているか否かを示す圧縮フラグ１６、及び、データ本体１０に収容される画像データ量を示す画像データ長１８を具備する。本実施形態では、パケットＩＤ１４は１バイト、圧縮フラグ１６は１ビット、データ長１８は２バイトである。パケットヘッダには上記以外に、圧縮方式を示すフラグ、像域判定のフラグ、ＡＣＳ判定の結果、色空間情報など、任意の情報を含めることができる。
【０１００】
図１４は、１ページの画像データを３２画素×３２画素からなるタイルに分割した様子を示す。１タイルの画像データが、図１４に示すように１つのパケットに収容される。１タイルは３２×３２画素でなくても良く、例えば、６４×６４画素でも良いし、更には、正方形でなく矩形などでも良い。１タイルが３２画素×３２画素の場合、例えば、Ａ４を６００ｄｐｉの解像度では、タイル数は、２２０×１５６＝３４３２０になり、Ａ３を１２００ｄｐｉの解像度では、タイル数は４４０×６２４＝２７４，５６０になる。
【０１０１】
本実施形態では、画像データを圧縮する場合に、１ページ分をまとめて圧縮するのではなく、パケット単位、即ち、タイル単位で画像データを圧縮するか否かを決定する。圧縮後のデータ量が圧縮前のデータ量よりも多くなる場合には、圧縮しない。
【０１０２】
本実施形態のパケットは、ヘッダ１２に圧縮フラグ１６を具備するので、データ本体１０に圧縮画像データが収容されたか非圧縮の画像データが収容されたかを圧縮フラグ１６で識別できる。圧縮画像データをデータ本体１０に収容した場合には、圧縮フラグに'１'をセットし、データ本体１０に非圧縮画像データを収容した場合には、圧縮フラグに'０'をセットする。１ページ中には、圧縮画像データを持つパケットと、非圧縮画像データを持つパケットが混在する。
【０１０３】
例えば、１ページのプレーンな画像データがあり、これを圧縮する場合に、本実施形態の画像データフォーマットの形式を採用したとする。先ず、ページ画像データを図１４に示すようにタイルに分割する。このタイル毎の画像データを、例えばＪＰＥＧ方式などで圧縮する。圧縮方法は、別の方法でも良い。圧縮の結果、元の画像データ量よりもデータ量が少なくなったときには、圧縮画像データをパケットのデータ本体１０に収容し、そのデータ量をヘッダ１２のデータ長１８に格納し、圧縮フラグ１６に'１'をセットする。逆に、圧縮の結果、元の画像データ量よりもデータ量が多くなったときには、非圧縮の画像データをパケットのデータ本体１０に収容し、そのデータ量をヘッダ１２のデータ長１８に格納し、圧縮フラグ１６に'０'をセットする。
【０１０４】
このようにして、各タイルについてデータの圧縮とパケット化を繰り返し、１ページのデータを作成する。このようにして出来た１ページ分のデータは、各パケットのデータ本体１０について元の画像データ量を超えないことを保証できる。ヘッダ１２のデータ量は固定（４バイト）なので、１ページの総データ量の最大値は、（１タイルの非圧縮の画像データ量＋ヘッダのデータ量４Ｂｙｔｅ）×（１ページのタイル数）で計算される。
【０１０５】
圧縮／非圧縮のパケットが混在しているページ画像データを伸長して非圧縮の画像データを復元する場合には、各パケットのヘッダ１２の圧縮フラグ１６を参照し、それが'１'であるパケットに収容されるデータのみを伸長すればよい。
【０１０６】
このように、本実施形態では、１タイル分の非圧縮画像データを一時保持すれば済むので、そのためのメモリ容量は小さくて済む。そのタイルの画像データの圧縮が終了し、そのタイルのパケットを生成した後は、そのタイルの画像データを消去しても構わない。つまり、１タイルの画像データを圧縮しパケット化する毎に、そのタイルの原画像データを消去できる。これにより、圧縮の際に必要となるメモリの作業領域は、１タイル分の画像データの容量があれば良いことになる。
【０１０７】
図１５は、本実施形態におけるパケットデータ生成に係る構成を説明するブロック図である。メモリ１１６を除く図１５の処理ブロックは、図４に示すメインコントローラ１１１に含まれる。１１２はＣＰＵ、２２はメモリ制御回路であり、１１６はメモリ（ＤＲＡＭ）である。３４は、ＣＰＵ２０、メモリ制御回路２２及びＤＭＡ制御回路３２を接続するシステムバスである。
【０１０８】
２６は処理すべき画像データが入力する入力端子、２８は入力端子２６に入力した画像データを、図１３及び図１４を参照して説明したパケットに成形するパケット生成回路である。パケット生成回路２８は、タイル単位で画像データを圧縮する画像圧縮回路を具備する。３０は、画像圧縮前後の画像データを一時記憶するバッファである。３２は、パケット生成回路２８の出力パケットをＤＭＡ（Direct Memory Access）方式で、メモリ制御回路２２を介してメモリ１１６に転送するＤＭＡ制御回路である。
【０１０９】
基本的なデータの流れを説明する。スキャナＩ／Ｆ１４０等から入力された画像データが、３２画素×３２画素のタイル単位で入力端子２６に入力する。パケット生成回路２８は、タイル単位で画像データを圧縮し、非圧縮画像データと圧縮画像データとを比較し、少ないデータ量の方をデータ本体１０に収容し、ヘッダ１２の圧縮フラグ１６に"０"又は"１"をセットし、図１３に示すパケットのフォーマットでＤＭＡ制御回路３２に出力する。ＤＭＡ制御回路３２は、パケット生成回路２８からのパケット・データを、システム・バス３４及びメモリ制御回路２２を介してメモリ１１６に書き込む。
【０１１０】
図１６は、パケット生成回路２８の概略構成ブロック図を示す。圧縮回路４０は、入力端子２６からのタイル単位の画像データをバッファ３０に格納すると共に圧縮して圧縮画像データもバッファ３０に格納し、非圧縮画像データと圧縮画像データとを比較して、少ないデータ量の方を出力する。すなわち、圧縮後の画像データ量が圧縮前の画像データ量よりも少ない場合には、圧縮回路４０は、圧縮画像データをマージ回路４４に出力すると共に、ヘッダ生成回路４２に、マージ回路４４に出力したデータが圧縮データであること及びそのデータ量を通知する。逆に、圧縮後の画像データ量が圧縮前の画像データ量よりも多い場合には、圧縮回路４０は、圧縮前の画像データをマージ回路４４に出力すると共に、ヘッダ生成回路４２に、マージ回路４４に出力したデータが非圧縮データであること及びそのデータ量を通知する。
【０１１１】
ヘッダ生成回路４２は、パケットＩＤ１４を順にインクリメントし、画像データ長１８にデータ量をセットし、圧縮フラグ１６については、圧縮回路４０がマージ回路４４に非圧縮データを出力するときには、"０"をセットし、圧縮回路４０がマージ回路４４に圧縮画像データを出力するときには、"１"をセットする。そして、ヘッダ生成回路４２は、このように生成したヘッダ情報をマージ回路４４に出力する。
【０１１２】
マージ回路４４は、ヘッダ生成回路４２からのヘッダと圧縮回路４０からのデータとをマージして、図１３に示すフォーマットのパケットを生成する。生成されたパケットは、ＤＭＡ制御回路３２に送られる。
【０１１３】
ＤＭＡ制御回路３２は、パケットデータを格納するアドレスを示すパケットアドレスレジスタを具備する。ＤＭＡ制御回路３２は、パケット生成回路２８（マージ回路４４）からのパケットを、パケットアドレスレジスタで示されるメモリ１１６のアドレスへ書き込む。パケットアドレスレジスタは、記憶値をパケット容量分だけ加算して更新する。その後、ＤＭＡ制御回路３２は、次のパケットをパケット生成回路２８から受け取る。
【０１１４】
図１７は、パケットデータとパケットテーブルの関係を示している。図中、１７００は各パケットのメモリ上での開始アドレス１７０１を示すパケットテーブル、１７０２はリピートフラグであり、一つ前のパケットとデータが同じ場合にフラグがＯＮになり、異なる場合にはＯＦＦに設定される。また、１７１０はメモリに格納されているパケットデータ領域であり、図示の如く模式的に示した。パケット１７１１とテーブル上のアドレスとは１対１で対応しており、パケット１７１２とテーブル上のアドレスとは、リピートフラグを用いることにより１対２で対応している。
【０１１５】
<合成機能の説明>
次に、図１８を用いて、配布先識別画像・部番号又はページナンバや章番号などを合成する画像合成機能について説明する。配布先識別画像は、予めＲＡＭやハードディスク等のメモリにラスタライズされているものとする。
【０１１６】
合成機能を使用して画像形成を行うようユーザが操作部やその他のＵＩにて複写装置に対して指示を与えると、複写装置は、画像形成データが数字や文字列であった場合はフォントベクタをフォントラスタライズするか、記憶装置上のビットマップフォントによる画像、もしくは画像形成データが数字や文字列以外の描画オブジェクトである場合はそのラスタ画像（図１８（ａ））と、リーダ・ＰＤＬＲＩＰ等のラスタ画像入力手段により機器内の記憶装置上に読み込んだ原稿の画像データ（図１８（ｂ））とを制御装置１１０が合成してプリンタ装置３００によりプリントする。これにより、ユーザは図１８（ｃ）に示すようなデータを得ることが出来る。
【０１１７】
このとき、配布先識別画像上の数字・文字列・画像などの配布先識別画像の、合成画像における合成位置は、ユーザにより指定されるかデフォルトで設定されている座標ＸＹにラスタライズされる。
【０１１８】
このとき、合成手段は記憶装置上でされるだけでなく、実際の出力時に紙や又は感光ドラムなどの画像転写対象物上に別々に出力することも考えられる。また、合成手段として、図１８（ａ）の画像に透明度が指定されている場合、指定されている透明度で画像を合成することができることも考えられる。
【０１１９】
<部識別画像形成データリストの説明>
図１９は画像形成するために必要なデータをリスト上で保持するデータリストの一例である。リスト中には１９０１に示すように人物や会社の名前・または部番号をリスト上で保持し、画像形成時にリストをシーケンシャルに参照し、文字列や数字をラスタライズして画像形成することが考えられる。また、１９０２に示すように配布先の会社名や、会社を特定できる描画オブジェクト（圧縮・非圧縮・ラスタ画像・ベクタ画像は問わない）、又は２つの組み合わせなどである場合も考えられる。また、画像の形成に際して透明度が指定されている場合は、指定された透明度で画像を合成する。
【０１２０】
<配布先識別画像形成データマップの説明>
図２０は画像形成するために必要なデータをマップで保持するデータマップ（データテーブル）の一例である。テーブル中には２００１、２００２に示すように人物や会社の名前・または部番号・画像形成データを示す画像形成データフィールドと、その配布先に対して、機密文書のプリント出力等の画像形成を行うかどうかのフラグを示す画像形成フラグフィールドをもち、画像形成フラグフィールドが２００１、２００２に示す例の場合はＹｅｓとなっているレコードのみ出力対象とする。
【０１２１】
また、テーブルの保持方法としては図２１の２１０１に示すように、配布先の識別子フィールドと、その配布先を示す画像形成データのフィールドをもつことも考えられる。このとき、２１０２に示す配布先リストには配布先識別子がレコードされており、配布先リストのレコードに従って配布先識別子をキーとして配布先テーブル２１０１のレコードを検索し、対応する画像形成データを取得する。
【０１２２】
<データアクセス・保存の説明>
配布先テーブルやリストのデータを参照する方法を次に説明する。図２２はデータへのアクセス方法を指示するＵＩ上のダイアログの一例である。
【０１２３】
図１に示す実施形態においては、ＣＤ−ＲＯＭドライブ１６０やその他の記録メディア読取装置にアドレス帳などのデータを記録した記録メディアを挿入し、操作部１５０やＰＣ４０１、４０２からデータ取り込み指示を出すことで、画像入出力システム１００内の記憶装置に保存するか、またはメディアを挿入したままメディア上のデータを直接テーブルとして使用する。このデータを使用して画像形成したい場合は、図２２に示すダイアログを表示し、アドレス欄には無記入とするか自機を示すかはどちらでもかまわない。アドレスを更新することでアクセス可能なデータリストが表示されるので、選択し、画像形成データの取得方法を操作の欄に記入するか、ドロップダウンリストに該当するデータ形式でのデフォルト設定や、登録済み設定が表示されるリストから選択する。
【０１２４】
または、ＰＣ４０１、４０２上の記憶装置又はネットワーク４００に接続されたデータサーバなどの記憶装置中のデータを、操作部１５０やＰＣ４０１、４０２からデータ取り込み指示を出すことで、画像入出力システム１００内の記憶装置に保存する。ここでデータ取り込みを行うには図２２に示す「データの取り込みボタン」を押すことで可能である。
【０１２５】
または、操作部１５０やＰＣ４０１、４０２から画像入出力システム１００に対してアドレス帳などのデータへのネットワークパスを指定することで、データがネットワーク共有されている場合ネットワーク上のデータへアクセスすることができる。このような設定を図２２に示すダイアログで行うには、アドレス欄に例えば"\\rainbow.canon.co.jp\datadir\addressdata"  等のディレクトリパスの指定をし、データ名にデータ名を記入し、データの取り込みボタンを押すことで可能である。
【０１２６】
または、アドレス帳や配布先テーブルなどのテーブルをデータベースとしたデータベースサーバがある場合は、そのデータベースサーバを特定することができるＩＰアドレスなどのアドレスと、データベース名と、テーブル名と、ＳＱＬなどのデータベースアクセス言語による、配布先を指定するためのデータベースアクセスコマンドを操作部１５０やＰＣ４０１、４０２から画像入出力システム１００に対して指定することで、配布する配布先の画像形成データを取得することができる。
【０１２７】
ここで、図２２に示すダイアログで上記の操作を行う場合は、アドレスにデータベースサーバのアドレスを指定し、サポートされているデータベースサーバをデータ形式から選択し、ダウンロードされたデータベース名を選択するか自分でデータベース名を入力し、操作を行う。図の例では、123.45.67.891に示すＩＰアドレスのＭｙＳＱＬというデータベースサーバが選択され、k8001dbという名前のデータベースに対し、配布先リストというテーブルから画像形成フラグのフィールドがＹｅｓである画像形成データのフィールドを取得する設定がなされている。
【０１２８】
更に、操作部１５０やＰＣ４０１、４０２において、テーブル入力フォームによる入力かまたは、画像入出力システム１００自身がデータベースサーバを起動することで、ＰＣ４０１、４０２等のネットワークに接続されたＰＣやワークステーションからのデータベースアクセスコマンドによりテーブルの作成・レコードの追加・削除をすることも可能である。
【０１２９】
本実施形態によれば、部番号以外にも名前など配布先を特定することが出来るマークを合成して画像形成することで、部番号を記録していなくとも機密文書の流出元の識別が可能となる。
【０１３０】
（他の実施形態）
上記実施形態においては、本発明をデジタル複合機において適用した例で説明したが、これに限るものではなく、本発明は、例えば、ファクシミリ装置、プリンタ等他の画像形成装置における印刷においても適用可能であることは言うまでも無い。さらに画像形成装置に限らず、例えば、パーソナルコンピュータ上のプリンタドライバや、画像処理ソフトウェアにおいて、本発明を適用してもよい。
【０１３１】
また、本発明の画像の結合単位やテーブルによる管理の単位は、タイル単位に限るものではなく、ライン単位、画素単位で行うようにしてもよい。
【０１３２】
また、本発明は、前述した実施の形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体（例えば上述した実施形態におけるＲＡＭ３１）に格納されたプログラムコードを読み出し実行することによっても、完成されることは言うまでもない。
【０１３３】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１３４】
さらに、記憶媒体から読み出されたプログラムコードが、コンピュータに挿入された機能拡張ボードやコンピュータに接続された機能拡張ユニットに備わるメモリに書きもまれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【０１３５】
また、このような記憶媒体を含む装置をネットワーク上に配置させておき、記憶媒体に記憶されたプログラムをネットワークを介して所定の装置へダウンロードし、ダウンロードしたプログラムを実行することによっても、本発明の上記実施形態の機能が実現されることは言うまでもない。
【図面の簡単な説明】
【０１３６】
【図１】本発明の実施形態に係る画像入出力システムの全体構成を説明するための図である。
【図２】リーダ部及びプリンタ部の概観を示す図である。
【図３】リーダ画像処理部の詳細な構成を示すブロック図である。
【図４】制御装置の機能を説明するための図である。
【図５】スキャナＩ／Ｆの画像処理を担う部分の詳細な構成を示すブロック図である。
【図６】ＡＣＳ（オートカラーセレクト）カウント部を説明するための図である。
【図７】プリンタＩ／Ｆの画像処理を担う部分の詳細な構成を示すブロック図である。
【図８】グラフィックプロセッサの詳細な構成を示すブロック図である。
【図９】タイル画像のアドレスを説明するための図である。
【図１０】回転処理を説明するための図である。
【図１１】本発明の実施形態におけるＰＤＬ画像出力の手順を示すフローチャートである。
【図１２】本発明の実施形態におけるコピー画像出力の手順を示すフローチャートである。
【図１３】本発明の実施形態におけるパケット構造を示す図である。
【図１４】１ページの画像データを３２画素×３２画素からなるタイルに分割した様子を示す図である。
【図１５】本発明の実施形態におけるパケットデータ生成に係る構成を説明するブロック図である。
【図１６】パケット生成回路の概略構成を示すブロック図である。
【図１７】パケットデータとパケットテーブルの関係を示す図である。
【図１８】合成機能を説明するための図である。
【図１９】画像形成データリストを説明するための図である。
【図２０】配布先画像形成データマップを説明するための図である。
【図２１】配布先画像形成データマップを説明するための図である。
【図２２】データベース設定のＵＩ上のダイアログを説明するための図である。
【符号の説明】
【０１３７】
１００  画像入出力システム
１１０  制御装置（コントローラ部）
１５０  操作部
１６０  ＣＤ−ＲＯＭドライブ
２００  リーダ装置（リーダ部）
２１０  スキャナユニット
２５０  原稿給紙ユニット
３００  プリンタ装置（プリンタ部）
３１０  給紙ユニット
３２０  マーキングユニット
３３０  排紙ユニット
４０１、４０２  ＰＣ
１９０１、１９０２、２００１、２００２、２１０２  配布先ユニット
２１０１  配布先テーブル
【図１】
2006245771.tif 000004
【図２】
2006245771.tif 000005
【図３】
2006245771.tif 000006
【図４】
2006245771.tif 000007
【図５】
2006245771.tif 000008
【図６】
2006245771.tif 000009
【図７】
2006245771.tif 000010
【図８】
2006245771.tif 000011
【図９】
2006245771.tif 000012
【図１０】
2006245771.tif 000013
【図１１】
2006245771.tif 000014
【図１２】
2006245771.tif 000015
【図１３】
2006245771.tif 000016
【図１４】
2006245771.tif 000017
【図１５】
2006245771.tif 000018
【図１６】
2006245771.tif 000019
【図１７】
2006245771.tif 000020
【図１８】
2006245771.tif 000021
【図１９】
2006245771.tif 000022
【図２０】
2006245771.tif 000023
【図２１】
2006245771.tif 000024
【図２２】
2006245771.tif 000025